(57)【要約】      （修正有）【課題】化粧料や美容成分を含んだ薬理作用での美容効果のみならず、リフトアップした状態を保持しながらのリフトアップアイケア美容の効能効果についても期待できる、且つリフトアップ機能の状態を示し、また用法を終えたことの目印とし、使用を終えたパック用シートの再使用を防ぐことをも目視で確認できる幾重の機能を有するパック用シートを提供することである。【解決手段】目の周辺部に載置されたパック用シートの頬部から目尻の部位、こめかみの部位に至る肌の領域に、強い弾性回復力が加わるように目頭から目尻の方向と不織布ロールの引っ張る流れの方向と合わせて、また外辺部から内側に数条のミシン目状のスリットを設け、更に外辺当りの部分にスリットや切り残しを施し、シートをリフトアップさせる。不織布に美容液を含浸させた或いは美容成分を塗布したゲルシートの含水シートを打ち抜いて作成する。【選択図】図４
2010284474.tif 000002
【特許請求の範囲】
【請求項１】
右目周辺部、目頭から目尻への方向と、不織布ロールの引っ張る流れの方向とを合わせて、目頭の部位から目袋を経て頬骨にそして目尻のやや上部に至る領域で、目袋と頬骨及び目尻にかかる部位にアイパック用シートの効能効果を引き出すためにやや多めの面積をとり半月に似たるアイパック用シート、目の周辺部のリフトアップの美容方法として、アイパック用シートを載置して頬骨にかかる部位を押さえて目尻上の部位のシート突端を掴み、こめかみ部分まで引き上げることで頬骨の部位からこめかみに至る領域に不織布の流れ方向に対して直角の横方向に伸ばすことと、不織布にはスムーズに横の方向に伸ばせる加工の技術を施したこととが相俟って、頬骨の部位から目尻の部位へそしてこめかみの部位に至る領域に強い弾性回復力が接している肌につたわり、且つ半月の外円の頬骨部から目尻に至る外周辺に外から内側の目頭の方向に向かう数条のミシン目状のスリットを設けて、上部を引き上げた際にはミシン目状のスリットが伸び広がると同時に更なる引っ張り感を肌に与えて、或いは異なる方法にて外辺部に切り残し部を設けて上部を引き上げた際に切り残し部が切れてミシン目状のスリットが伸び広がり同様の引っ張り感を与え、数条の最も外側に当たるミシン目のスリットが音楽記号のクレッセンドに似たる開きを持たせたことでリフトアップ機能の状態の限度幅を示すことや薬事法上の用法を終えたことの目印とし、外側に当たるミシン目のスリットが音楽記号に似たるクレッセンド状態となったアイパック用シートは使用済みの目印となり薬事法上の効能効果を終えており、そして使用済みアイパック用シートは雑菌で汚染されていて雑菌の感染防止、肌にとっては非常に不衛生であることから再度の使用を防ぐことを目視で確認させる同時の機能を有しており、同じく目頭の部位については目頭の真下の部位からやや左斜め上方向においても同様の仕様を施すことで同じ機能を有した効果があり、左目の周辺部にあたる部位についても右目周辺部と同じ用法で使用され同じ効能効果が得られる。これらは不織布に美容液を含浸させた或いは美容成分を塗布したゲルシートの含水シートを打ち抜いて作成したことを特徴としたアイパック用シート。
【発明の詳細な説明】
【技術分野】
【０００１】本発明は、目の周辺部のリフトアップの美容方法として、不織布シートやゲルシート（以下これを不織布と略称する）に化粧料や美容成分を含んだ状態で目頭の部位から目袋を経て頬骨にかかり、目尻のやや上部に至る領域に載置し、目の周辺部の保湿、美白、アンチエイジング美容、リフトアップ美容（以下これをリフトアップアイケア美容と略称する）に用いられ、数条の外側に当たるミシン目のスリットが音楽記号のクレッセンドに似たる開きを示すことでリフトアップの機能の限度幅を目視させることや用法が終えたことを目視できるアイパック用シート（以下パック用シートと略称する）に関する。
【背景技術】
【０００２】従来、図１に示される不織布に化粧料や美容成分を含ませた状態で人体顔面、目の周辺の上に一定の時間を載置するという用法での効能効果のパック用シートが使用されている。このようなパック用シートは、含水シートを素材とし、目頭の部位から目袋を経て頬骨にそして目尻のやや上部に至る領域で、目頭から目袋と頬骨及び目尻にかかる部位ほぼ全体を覆う大きさ及び形状で、概ね半月形に形成されている。【０００３】パック用シートは、不織布の輪郭を刃型で打ち抜くことによって作成される。【０００４】ヒトの目の周辺部の皮膚組織や皮下組織は、四季の環境下や室内での冷房暖房の肌への影響、そして加齢の状態或いは体調の変化に伴い、皮膚の張りやシミ、皺や弛みが出やすくなり、周囲の皮膚組織や皮下組織が垂れ下がる状態となり、美容の観点からは解消を必要としたいことがらである。【０００５】しかし、従来のパック用シートの効能効果の期待は、不織布に化粧料や美容成分を含んだ薬理作用によって皮膚に働きかける用法での効果を期するもので、垂れ下がった皮膚組織や皮下組織の回復や補正についての効果、すなわち目の周辺部のリフトアップの美容方法としてについての効果を期するものではなかった。また、使用済みのアイパック用シートについては薬事法上の効能効果については終えているが、使用済みのアイパック用シートには雑菌も付着していて肌にとっては非常に不衛生なことから、意図的又は間違って再度の使用を行うことを防止することもお肌にとっては大切なことである。
【発明の概要】
【発明が解決しようとする課題】
【０００６】本発明の技術的な課題は、従来の不織布に化粧料や美容成分を含んだ薬理作用での美容効果のみならず、パック用シートでリフトアップした状態を保持しながらのリフトアップアイケア美容の効能効果についても期待でき、且つパック用シートの外側に当たるミシン目の最初のスリットがリフトアップアイケア美容において音楽記号のクレッセンドに似たる開きでリフトアップの機能の限度幅を目視させることや用法を終えた目印とし、使用を終えたパック用シートでは未使用の効能効果が得られないことや使用済みの言わば雑菌等の汚染された不衛生なパック用シートで再度の使用を行わせないことを目視で確認できる幾重の機能を有するパック用シートを提供することである。
【課題を解決するための手段】
【０００７】前記課題を解決するための本発明は、右目周辺部用として、目頭の部位から目尻部位への方向と、不織布ロールの引っ張る流れの方向とを合わせて、目頭の部位から目袋を経て頬骨にそして目尻のやや上部に至る領域に半月に似たるパック用シート、不織布の流れ方向に対して水平方向のミシン目状の切り込み線を頬の部位からやや斜め右上に至る目尻の部位の外辺から内側に数条のミシン目状のスリットを設ける機構で不織布を打ち抜いて作成しており、パック用シートを目の周辺部に載せた状態において、頬部の部位を押さえながらその斜め上の目尻部分突端のシート部を持ち上げることでシートが上に伸び広がること、その設けた面と接する肌との縦方向に不織布の素材や不織布の加工技術とが相俟って、その接する面の肌に強い弾性回復力が加わり、更に数条のミシン目状の切り込み部分はシートの突端を持ち上げると同時に切り込み部分の不織布繊維がスリットされていることから伸び広がるという仕組みが、その部位の肌に更に強い弾性回復力を体感させる。また、目頭の部位についても上記と同様の仕組みを目頭の下の部位からやや左斜め上の目頭の部位に設けて同じ効果を得られる。このパック用シートの用法を終えたことの目印となる機構については、パック用シートの外側に当たるミシン目の最初のスリットがリフトアップアイケア美容を行うことにおいて引きあがり、音楽記号のクレッセンドに似たる開きを持たせたことが用法を終えたことの目印となり、機構については外辺に当る一番外側のミシン目の刃長を若干長くしてスリットする或いは引き上げることで容易に切れる外辺と一番外側のミシン目との間にスリットの残しの加工を施して引き上げることで切り残し部分が切れて開くように構成する。前述は外辺が数条切れているため載置に多少の手間を必要とする場合もあるが、後述は外辺が切れていないので載置を簡単に行えるしかし構図が複雑なためコストが高くなる。左目周辺用も右目周辺用の構成と同様とする。これらは、不織布に化粧料や美容成分を含んだ状態で打ち抜かれているパック用シートである。
【発明の効果】
【０００８】不織布は、コットンや化学繊維の素材を一定量に設定したものを綿状にしてウォータージェットの水流圧力を調整しながら製造され、優れた水圧調整の技法は肌当りへの感触を得ることとなり、そして不織布をロール状に巻き取る加工には巻き取りテンションを調整する技法は横幅への伸びについてスムーズな伸び感へのストレッチ感覚が生まれ、すなわちリフトアップアイケア美容法に適した原材料となり、不織布ロールの引っ張る流れの方向符号８に対しては伸びず、横方向符号９に伸びやすい特性を持たせており、すなわち横方向に弾性回復力が強くなる方向図５で製造される。パック用シートは、この不織布の流れの方向と目頭から目尻の方向とを合わせて、頬部の部位から目尻に至る部位に数条の水平方向のミシン目状の切り込み線を外辺から目頭の方向とする内側の方向に設けており、パック用シートの目尻の突端の部位には指で掴み引き上げ可能な形状として、目頭の部位の仕組みについては、目頭の真下の部位から目頭先端に至る部位に数条の水平方向のミシン目状の切り込み線を外辺から目尻の方向とする内側の方向に設けた構成も同様にして打ち抜いており、パック用シートを目の周辺に載せた状態で頬部の部位を押さえてその真上の目尻の突端のシートを持ち上げることでシートが極端に伸び上がり、そして数条のミシン目状の切り込み部分は不織布の繊維をスリットしていることから伸び広がるという仕組みと、不織布の特性とが相俟って、更にその部位には不織布の加工技術の特徴を用いたことの強い弾性回復力を肌に体感させて、縦の方向に強い弾性回復力の物性を備えたパック用シートとなる。すなわち目の周辺部に載置してリフトした場合、垂れ下がった皮膚組織や皮下組織をリフトアップした状態を保持しながらのリフトアップアイケア美容の効能効果を期することができる。
【図面の簡単な説明】
【０００９】
【図１】従来のパック用シート、目の周辺部に載置した平面図
【図２】本発明のパック用シート、目の周辺部に載置する前で符号４は外辺とミシン目スリットは当り、スリットされた状態の平面図
【図３】本発明のパック用シート、目の周辺部に載置する前で符号６は外辺とミシン目スリットとの間に若干の残しの加工を施した平面図
【図４】本発明の実施例のパック用シート、リフトアップアイケア美容の状態の説明図
【図５】本発明のパックシート、引っ張る流れの方向に対して水平で不織布の横方向には直角に打ち抜く状況の平面図
【発明を実施するための形態】
【００１０】本発明は、不織布に目頭から目尻への方向に対応する半月形の部分を、不織布ロールの引っ張る流れの方向に対して合せて打ち抜き作成しており、すなわち頬部の部位から目尻の部位に至る面の縦方向に、不織布の素材の特徴やウォータージェットの加工特徴そして巻き取り加工の特徴を用いて、強い弾性回復力が肌に伝わるように打ち抜いて、且つ頬の部位から目尻に至る部位に数条のミシン目状の切り込み線を外辺から内側に設け、肌に接する領域が不織布の繊維をミシン目状にスリットカットした故に伸び広がるという仕組みとが相俟って、更にその部位の肌に強い弾性回復力を体感させ、外側に当たるミシン目の最初のスリットにはリフトアップアイケア美容を行うことにおいて、音楽記号のクレッセンドに似たる開きを持たせた状態がリフトアップの機能の限度幅を目視させることそしてこの用法を終えたことの目印とする機構とし、それは外辺にあたる一番外側のミシン目図２の符号４に示す刃長を若干長くスリットさせる或いは引き上げることで容易に切れる外辺と一番外側のミシン目との間にスリットの残しの図３の符号６が示す加工をして開くように構成する。左目周辺部用も右目周辺部用と同じ構成で打ち抜いて作成される。
【実施例】
【００１１】本発明の実施例の形態を図２〜図４に基づいて説明をする。図２は本発明品で、目の周辺部分に対応するパック用シートであり、リフトアップアイケア美容に対応するため目頭から目尻への方向と、不織布ロールの引っ張る流れの方向符号８を合わせて、不織布の流れ方向に対して水平方向のミシン目状の切り込み線を頬の部位からやや斜め右上に至る目尻の部位の外辺から内側に数条のミシン目状のスリット符号３を設ける機構で不織布を図５の方法で打ち抜いて作成されており、図４は、リフトアップアイケア美容の実施例でパック用シートを目の周辺部に載せた状態において、頬部の部位を押さえながらその斜め上の目尻部分突端のシート部を持ち上げることでシートが伸び上がり、その設けた面と接する肌との縦方向に不織布の素材と不織布の加工技術が相俟って、その接する面の肌に強い弾性回復力が加わり、更に数条のミシン目状の切り込み部分はシートの突端を持ち上げると同時に切り込み部分の不織布繊維がスリットされていることから伸び広がるという仕組みが、その接する部位の肌に強い弾性回復力を体感させる。【００１２】パック用シートの中央部の上下のスリット符号５は、頬部の部位や目頭の下部の部位をそれぞれ押さえリフトをする時、上に持ち上げる力が他方に伝わることでシートが変形しないようにその力を遮断する為に設けてもよい。図２の符号４と図３の符号６との違いは、符号４は外辺にミシン目スリットが当り完全スリットされている状態で、符号６は外辺と外辺に近いミシン目スリットには若干の距離を残しており、その仕組みの違いはパック用シートを載置する際、数条の符号４は切れているので少々載置に時間を必要とするが、符号６の場合はスリット残しの加工で載置にはワンタッチで時間を必要とせず、リフトアップすると容易にスリットの残し部が切れることで音楽記号のクレッセンドに似たる開きの機能を果たし、いずれかの機能を選択することができるも符号６の作業工程には難易度が高く生産や設備には技術を必要とする。リフトアップアイケア美容は頬部の部位を押さえながらその斜め上の目尻部分突端のシート部を持ち上げることでシートが伸び上がりリフトアップアイケア美容が終えたことを音楽記号のクレッセンドに似たる開き図４の符号７を持たせたことが機能の状況や用法を終えたことの目印であり、目視させて再度の使用を防ぐことはこのパック用シートの特徴である。【００１３】図４は、本発明の実施例の使用状態を示す図である。
【符号の説明】  １  従来のアイパック用シートの輪郭
２  本発明品のアイパック用シートの輪郭
３  不織布の流れの方向に対し、水平方向へのミシン目状の切り込み線
４  外辺に当る一番外側のミシン目状のスリットした線
５  アイパック用シート中央部の上下にスリットした線
６  外辺部に容易に切れる外辺とミシン目スリットの間の切れ残しの状態
７  音楽記号のクレッセンドに似たる開いた状態
８  不織布ロールの引っ張る流れの方向
９  不織布の横方向
１０  ロール状の不織布を引っ張り方向に展開した状態
【図１】
2010284474.tif 000003
【図２】
2010284474.tif 000004
【図３】
2010284474.tif 000005
【図４】
2010284474.tif 000006
【図５】
2010284474.tif 000007
【手続補正書】
【提出日】平成21年8月18日(2009.8.18)
【手続補正１】
【補正対象書類名】明細書
【補正対象項目名】全文
【補正方法】変更
【補正の内容】
【発明の詳細な説明】
【技術分野】
【０００１】
本発明は、ヒトの片方又は双方の目の周辺部のリフトアップの美容方法として、不織布シートやゲルシート（以下これを不織布と略称する）に化粧料や美容成分を含んだ状態で、目頭の部位から目袋を経て頬骨にかかり、目尻のやや上部に至る領域に載置し、目の周辺部の保湿、美白、アンチエイジング美容、リフトアップ美容（以下これをリフトアップアイケア美容と略称する）に用いられ、強い弾性回復力を体感させ、数条の外側に当たるミシン目のスリットが音楽記号のクレッセンドに似たる開きを示すことでリフトアップの機能の限度幅を目視させることや用法が終えたことを目視できるアイパック用シート（以下パック用シートと略称する）に関する。
【背景技術】
【０００２】
従来、図１に示される不織布に化粧料や美容成分を含ませた状態で人
体顔面、目の周辺の上に一定の時間を載置するという用法での効能効
果のパック用シートが使用されている。このようなパック用シートは、
含水シートを素材とし、目頭の部位から目袋を経て頬骨にそして目尻
のやや上部に至る領域で、目頭から目袋と頬骨及び目尻にかかる部位
ほぼ全体を覆う大きさ及び形状で、概ね半月形に形成されている。
【０００３】
パック用シートは、不織布の輪郭を刃型で打ち抜くことによって作成される。
【０００４】
ヒトの目の周辺部の皮膚組織や皮下組織は、四季の環境下や室内での冷房暖房の肌への影響、そして加齢の状態或いは体調の変化に伴い、皮膚の張りやシミ、皺や弛みが出やすくなり、周囲の皮膚組織や皮下組織が垂れ下がる状態となり、美容の観点からは解消を必要としたいことがらである。
【０００５】
しかし、従来のパック用シートの効能効果の期待は、不織布に化粧料や美容成分を含んだ薬理作用によって皮膚に働きかける用法での効果を期するもので、垂れ下がった皮膚組織や皮下組織の回復や補正についての効果、すなわち目の周辺部のリフトアップの美容方法についての効果を期するものではなかった。また、使用済みのアイパック用シートについては薬事法上の効能効果については終えているが、使用済みのアイパック用シートには雑菌も付着していて肌にとっては非常に不衛生なことから、意図的又は間違って再度の使用を行うことを防止することもお肌にとっては大切なことである。
【発明の概要】
【発明が解決しようとする課題】
【０００６】
本発明の技術的な課題は、従来の不織布に化粧料や美容成分を含んだ
薬理作用での美容効果のみならず、パック用シートでリフトアップし
た状態を保持しながらのリフトアップアイケア美容の効能効果につ
いても期待でき、且つパック用シートの外側に当たるミシン目の最初
のスリットがリフトアップアイケア美容において音楽記号のクレッ
センドに似たる開きでリフトアップの機能の限度幅を目視させるこ
とや用法を終えた目印とし、使用を終えたパック用シートでは未使用
の効能効果が得られないことや使用済みの言わば雑菌等の汚染され
た不衛生なパック用シートで再度の使用を行わせないことを目視で
確認できる幾重の機能を有するパック用シートを提供することであ
る。
【課題を解決するための手段】
【０００７】
前記課題を解決するための本発明は、ヒトの片方又は双方の目の周辺部に載置するアイパック用シート、目頭の部位から目尻部位への方向と、不織布ロールの引っ張る流れの方向とを合わせて、目頭の部位から目袋を経て頬骨にそして目尻のやや上部に至る領域に半月に似たる略三日月形のパック用シート、不織布の流れ方向に対して水平方向のミシン目状の切り込み線を頬の部位からやや斜め右上に至る目尻の部位の外辺から内側に数条のミシン目状のスリットを設ける機構で不織布を打ち抜いて作成しており、パック用シートを目の周辺部に載せた状態において、頬部の部位を押さえながらその斜め上の目尻部分突端のシート部を持ち上げることでシートが上に伸び広がること、その設けた面と接する肌との縦方向に不織布の素材や不織布の加工技術とが相俟って、その接する面の肌に強い弾性回復力が加わり、更に数条のミシン目状の切り込み部分はシートの突端を持ち上げると同時に切り込み部分の不織布繊維がスリットされていることから伸び広がるという仕組みが、その部位の肌に更に強い弾性回復力を体感させる。また、目頭の部位についても上記と同様の仕組みを目頭の下の部位からやや左斜め上の目頭の部位に設けて同じ効果を得られる。このパック用シートの用法を終えたことの目印となる機構については、パック用シートの外側に当たるミシン目の最初のスリットがリフトアップアイケア美容を行うことにおいて引きあがり、音楽記号のクレッセンドに似たる開きを持たせたことが用法を終えたことの目印となり、機構については外辺に当る一番外側のミシン目の刃長を若干長くしてスリットする或いは引き上げることで容易に切れる外辺と一番外側のミシン目との間にスリットの残しの加工を施して引き上げることで切り残し部分が切れて開くように構成する。前述は外辺が数条切れているため載置に多少の手間を必要とする場合もあるが、後述は外辺が切れていないので載置を簡単に行えるしかし構図が複雑なためコストが高くなる。左目周辺用も右目周辺用の構成と同様とする。これらは、不織布に化粧料や美容成分を含んだ状態で打ち抜かれているパック用シートである。
【発明の効果】
【０００８】
不織布は、コットンや化学繊維の素材を一定量に設定したものを綿状にしてウォータージェットの水流圧力を調整しながら製造され、優れた水圧調整の技法は肌当りへの感触を得ることとなり、そして不織布をロール状に巻き取る加工には巻き取りテンションを調整する技法は横幅への伸びについてスムーズな伸び感へのストレッチ感覚が生まれ、すなわちリフトアップアイケア美容法に適した原材料となり、不織布ロールの引っ張る流れの方向符号８に対しては伸びず、横方向符号９に伸びやすい特性を持たせており、すなわち横方向に弾性回復力が強くなる方向図５で製造される。パック用シートは、この不織布の流れの方向と目頭から目尻の方向とを合わせて、頬部の部位から目尻に至る部位に数条の水平方向のミシン目状の切り込み線を外辺から目頭の方向とする内側の方向に設けており、パック用シートの目尻の突端の部位には指で掴み引き上げ可能な形状として、目頭の部位の仕組みについては、目頭の真下の部位から目頭先端に至る部位に数条の水平方向のミシン目状の切り込み線を外辺から目尻の方向とする内側の方向に設けた構成も同様にして打ち抜いており、パック用シートを目の周辺に載せた状態で頬部の部位を押さえてその真上の目尻の突端のシートを持ち上げることでシートが極端に伸び上がり、そして数条のミシン目状の切り込み部分は不織布の繊維をスリットしていることから伸び広がるという仕組みと、不織布の特性とが相俟って、更にその部位には不織布の加工技術の特徴を用いたことの強い弾性回復力を肌に体感させて、縦の方向に強い弾性回復力の物性を備えたパック用シートとなる。すなわち目の周辺部に載置してリフトした場合、垂れ下がった皮膚組織や皮下組織をリフトアップした状態を保持しながらのリフトアップアイケア美容の効能効果を期することができる。
【図面の簡単な説明】
【０００９】
【図１】従来のパック用シート、目の周辺部に載置した平面図
【図２】本発明のパック用シート、目の周辺部に載置する前で符号４は 外辺とミシン目スリットは当り、スリットされた状態の平面図
【図３】本発明のパック用シート、目の周辺部に載置する前で符号６は外辺とミシン目スリットとの間に若干の残しの加工を施した平面図
【図４】本発明の実施例のパック用シート、リフトアップアイケア美容の状態の説明図
【図５】本発明のパックシート、引っ張る流れの方向に対して水平で不織布の横方向には直角に打ち抜く状況の平面図
【発明を実施するための形態】
【００１０】
本発明は、不織布に目頭から目尻への方向に対応する半月形に似たる略三日月形の部分を、不織布ロールの引っ張る流れの方向に対して合せて打ち抜き作成しており、すなわち頬部の部位から目尻の部位に至る面の縦方向に、不織布の素材の特徴やウォータージェットの加工特徴そして巻き取り加工の特徴を用いて、強い弾性回復力が肌に伝わるように打ち抜いて、且つ頬の部位から目尻に至る部位に不織布ロールの引っ張る流れの方向に合わせて数条のミシン目状の切り込み線を外辺から内側方向に沿って水平に設け、肌に接する領域が不織布の繊維をミシン目状にスリットカットした故に伸び広がるという仕組みとが相俟って、更にその部位の肌に強い弾性回復力を体感させ、外側に当たるミシン目の最初のスリットにはリフトアップアイケア美容を行うことにおいて、音楽記号のクレッセンドに似たる開きを持たせた状態がリフトアップの機能の限度幅を目視させることそしてこの用法を終えたことの目印とする機構とし、それは外辺にあたる一番外側のミシン目図２の符号４に示す刃長を若干長くスリットさせる或いは引き上げることで容易に切れる外辺と一番外側のミシン目との間にスリットの残しの図３の符号６が示す加工をして開くように構成する。左目周辺部用も右目周辺部用と同じ構成で打ち抜いて作成される。
【実施例】
【００１１】
本発明の実施例の形態を図２〜図４に基づいて説明をする。図２は本
発明品で、目の周辺の目頭から目袋を経て頬部から目尻部分に対応す
るパック用シートであり、その形状は半月に似たる略三日月の形状に
て頬から目尻に至る外周辺は略円弘を描き、リフアップアイケア美容
に対応するため目頭から目尻への方向と、不織布ロールの引っ張る流
れの方向符号８を合わせて、不織布の流れ方向に対して水平方向のミ
シン目状の切り込み線を頬の部位からやや斜め右上に至る目尻の部
位の外辺から内側に数条のミシン目状のスリット符号３と符号４を
設ける機構で不織布を図５の方法で打ち抜いて作成されており、図４
は、リフトアップアイケア美容の実施例でパック用シートを目の周辺
部に載せた状態において、頬部の部位を押さえながらその斜め上の目
尻部分突端のシート部を持ち上げることでシートが伸び上がり、その
設けた面と接する肌との縦方向に不織布の素材と不織布の加工技術
が相俟って、その接する面の肌に強い弾性回復力が加わり、更に数条
のミシン目状の切り込み部分はシートの突端を持ち上げると同時に
切り込み部分の不織布繊維がスリットされていることから伸び広が
るという仕組みが、その接する部位の肌に強い弾性回復力を体感させ
る。
【００１２】
パック用シートの中央部の上下のスリット符号５は、頬部の部位や目頭    の下部の部位をそれぞれ押さえリフトをする時、上に持ち上げる力が他    方に伝わることでシートが変形しないようにその力を遮断する為に設
けてもよい。図２の符号４と図３の符号６との違いは、符号４は外辺にミシン目スリットが当り完全スリットされた状態で、符号６は外辺と外辺に近いミシン目スリットには若干の距離を残しており、その仕組みの違いはパック用シートを載置する際、数条の符号４は切れているので少々載置に時間を必要とするが、符号６の場合はスリット残しの加工で載置にはワンタッチで時間を必要とせず、リフトアップすると容易にスリットの残し部が切れることで音楽記号のクレッセンドに似たる開きの機能を果たし、いずれかの機能を選択することができるも符号６の作業工程には難易度が高く生産や設備には技術を必要とする。リフトアップアイケア美容は頬部の部位を押さえながらその斜め上の目尻部分突端のシート部を持ち上げることでシートが伸び上がりリフトアップアイケア美容が終えたことを音楽記号のクレッセンドに似たる開き図４の符号７を持たせたことが機能の状況や用法を終えたことの目印であり、目視させて再度の使用を防ぐことはこのパック用シートの特徴である。
【００１３】
図４は、本発明の実施例の使用状態を示す図である。
【符号の説明】
【００１４】
１  従来のアイパック用シートの輪郭
２  本発明品のアイパック用シートの輪郭
３  不織布の流れの方向に対し、水平方向へのミシン目状の切り込み線
４  外辺に当る一番外側のミシン目状のスリットした線
５  アイパック用シート中央部の上下にスリットした線
６  外辺部に容易に切れる外辺とミシン目スリットの間の切れ残しの状態
７  音楽記号のクレッセンドに似たる開いた状態
８  不織布ロールの引っ張る流れの方向
９  不織布の横方向
１０  ロール状の不織布を引っ張り方向に展開した状態
【手続補正２】
【補正対象書類名】特許請求の範囲
【補正対象項目名】全文
【補正方法】変更
【補正の内容】
【特許請求の範囲】
【請求項１】
ヒトの片方又は双方の目の周辺部の目頭から目袋を経て頬部にそして目尻からこめかみの領域に載置する不織布シートよりなるアイパック用シート、アイパック用シートの打ち抜きは、目頭から目尻への方向と、不織布ロールの引っ張る流れの方向とを合わせて、目頭の部位から目袋を経て頬骨にそして目尻のやや上部に至る領域で、目袋と頬骨及び目尻にかかる部位にアイパック用シートの効能効果を引き出すためにやや多めの面積をとり半月に似たる略三日月形のアイパック用シートに打ち抜かれ、その特徴は目の周辺部のリフトアップの美容方法として、アイパック用シートを載置して頬骨にかかる部位を押さえて目尻上の部位のシート突端を掴み、こめかみ部分まで引き上げることで頬骨の部位からこめかみに至る領域に不織布の流れ方向に対して直角の横方向に伸ばすことと、不織布にはスムーズに横の方向に伸ばせる加工の技術を施したこととが相俟って、頬骨の部位から目尻の部位へそしてこめかみの部位に至る領域に強い弾性回復力を接している肌に体感させるアイパック用シート。
【請求項２】
且つ半月の外円の頬骨部から目尻に至る外周辺に外から内側の目頭の方向に向かう数条のミシン目状のスリットを不織布の流れの方向に沿って水平に設けて、上部を引き上げた際にはミシン目状のスリットが伸び広がると同時に更なる引っ張り感を肌に与えて、或いは異なる方法にて外辺部に切り残し部を設けて上部を引き上げた際に切り残し部が切れてミシン目状のスリットが伸び広がり同様の引っ張り感を与え、同時に数条の最も外側に当たるミシン目のスリットを音楽記号のクレッセンドに似たる開きを持たせたことでリフトアップ機能の状態の限度幅を示すことや薬事法上の用法を終えたことの目印とし、外側に当たるミシン目のスリットが音楽記号に似たるクレッセンド状態となったアイパック用シートは使用済みの目印となり薬事法上の効能効果を終えており、そして使用済みアイパック用シートは雑菌で汚染されていて雑菌の感染防止、肌にとっては非常に不衛生であることから再度の使用を防ぐことを目視で確認させる同時の機能を有しており、同じく目頭の部位については目頭の真下の部位からやや左斜め上方向においても同様の仕様を施すことで同じ機能を有した効果があり、左目の周辺部にあたる部位についても右目周辺部と同じ用法で使用され同じ効能効果が得られる請求項１に記載のアイパック用シート。
【請求項３】
請求項１、請求項２のいずれかに記載のアイパック用シートで、これは不織布に美容液を含浸させるか、或いは美容成分を塗布したゲルシートの含水シートを打ち抜いて作成したことを特徴としたアイパック用シートの製造法。
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
片方の目の周辺部において目頭から目袋、頬部、目尻、こめかみに至る連続した領域に載置する不織布シートよりなるアイパック用シートであって、このアイパック用シートは、目頭から目尻へ向いた方向と、不織布シートの繊維の並び方向とを合わせて打ち抜かれたものであり、その目頭の部位と目尻のやや上部に至る部分とにそれぞれ突端部を設け、このシートの前記連続した領域に載置する部分の形状は、半月に似たる略三日月形をしていて、略三日月形のうち目尻の横の外辺部の構成は、外辺から内側の目尻の方向の中ほどに至る箇所にミシン目状のスリットを数条水平方向に平行して設け、前記目頭の下の外辺部の構成は、外辺から目尻の方向に向き目頭から目袋に至る箇所にミシン目状のスリットを数条水平方向に平行して設け、前記数条のミシン目状スリットの最も外側に当たるスリットは引っ張った際に音楽記号のクレッセンドに似たる形状に開くことを特徴としたアイパック用シート。